(57)【要約】【課題】バッテリパックを提供する。【解決手段】複数列をなすように配置された多数のバッテリセル、バッテリセルのうち隣接する列の間に配置されたホルダであって、前記ホルダの第１面は、隣接する列のうちいずれか１列にある第１列をなすバッテリセルの側面と接触し、前記ホルダの第２面は、前記隣接する列のうち他の１列にある第２列をなすバッテリセルの側面と接触する、ホルダ、及びバッテリセルの温度を測定する温度素子を含み、該ホルダは、温度素子を受容する第１受容溝を含み、前記ホルダは、前記ホルダを貫通するように形成された冷却ホールであって、流体が出入りすることができる冷却ホールを含むバッテリパックを開示する。【選択図】図１
2015088493.tif 000002
【特許請求の範囲】
【請求項１】
複数列をなすように配置された多数のバッテリセルと、
前記バッテリセルのうち隣接する列の間に配置されたホルダであって、前記ホルダの第１面は、前記隣接する列のうちいずれか１列にある第１列をなすバッテリセルの側面と接触し、前記ホルダの第２面は、前記隣接する列のうち他の１列にある第２列をなすバッテリセルの側面と接触する、ホルダと、
前記バッテリセルの温度を測定する温度素子と、を含み、
前記ホルダは、前記温度素子を受容する第１受容溝を含み、
前記ホルダは、前記ホルダを貫通するように形成された冷却ホールであって、流体が出入りすることができる冷却ホールを含むバッテリパック。
【請求項２】
前記第１受容溝の深さは、前記温度素子の厚みと同じであるか、あるいは前記温度素子の厚みよりも浅いことを特徴とする請求項１に記載のバッテリパック。
【請求項３】
前記第１受容溝は、前記ホルダの前記第１面及び前記第２面のうち少なくとも１面に形成されていることを特徴とする請求項１に記載のバッテリパック。
【請求項４】
前記温度素子の一端部は、外部に向けて延在したワイヤと連結されており、
前記ホルダは、前記ワイヤを受容して第１受容溝と連結された第２受容溝をさらに含むことを特徴とする請求項１に記載のバッテリパック。
【請求項５】
前記温度素子は、
前記第１列または前記第２列をなす多数のバッテリセルのうち内側に配置されたいずれか１つのバッテリセルの側面と接触することを特徴とする請求項１に記載のバッテリパック。
【請求項６】
前記冷却ホールは、前記バッテリセルの長手方向と同一方向に沿って延在していることを特徴とする請求項１に記載のバッテリパック。
【請求項７】
前記バッテリセルそれぞれは、円筒状バッテリセルであることを特徴とする請求項１に記載のバッテリパック。
【請求項８】
前記ホルダの前記第１面及び前記第２面は、前記バッテリセルの側面に対応する凹状溝を含むことを特徴とする請求項７に記載のバッテリパック。
【請求項９】
前記バッテリセルの最外郭には、１対のエンドホルダが配置され、
前記１対のエンドホルダ及び前記ホルダは、前記１対のエンドホルダ及び前記ホルダを貫通する締結部材によって結合されたことを特徴とする請求項１に記載のバッテリパック。
【請求項１０】
前記ホルダは、前記バッテリセルの上部面及び下部面と接触するストッパをさらに含むことを特徴とする請求項１に記載のバッテリパック。
【請求項１１】
前記多数のバッテリセルを電気的に連結し、前記冷却ホールに対応する位置に形成されたホールを含むバスバーを含むことを特徴とする請求項１に記載のバッテリパック。
【請求項１２】
前記流体は、空気であることを特徴とする請求項１に記載のバッテリパック。
【請求項１３】
前記ホルダは、
前記ホルダの両側に配置される第１エンド部及び第２エンド部と、
前記第１エンド部と前記第２エンド部とを連結する隔壁部であって、前記第１受容溝及び前記冷却ホールを含む隔壁部と、を具備することを特徴とする請求項１に記載のバッテリパック。
【請求項１４】
前記第１エンド部及び第２エンド部それぞれは、前記第１列をなすバッテリセルに向かう方向及び前記第２列をなすバッテリセルに向かう方向に沿って突出していることを特徴とする請求項１３に記載のバッテリパック。
【請求項１５】
前記第１エンド部及び第２エンド部は、前記バッテリセルの半径だけ突出していることを特徴とする請求項１４に記載のバッテリパック。
【請求項１６】
前記バッテリセルそれぞれは、円筒状のバッテリセルであり、前記隔壁部の両側面は、前記バッテリセルの側面に対応する凹状溝を含み、前記隔壁部は、前記凹状溝によって形成された相対的に厚みが厚い厚肉部と、相対的に厚みが薄い薄肉部と、を具備することを特徴とする請求項１３に記載のバッテリパック。
【請求項１７】
前記冷却ホールは、前記厚肉部に形成されたことを特徴とする請求項１６に記載のバッテリパック。
【発明の詳細な説明】
【技術分野】
【０００１】
本発明は、バッテリパックに関する。
【背景技術】
【０００２】
二次電池は、充電が不可能な一次電池とは異なり、充放電が可能な電池をいうものであり、携帯電話、ＰＤＡ（personal digital assistant）、ノート型パソコンのような小型先端電子機器分野だけではなく、エネルギー保存システムに至るまで汎用されている。
【０００３】
二次電池は、充放電を介して、長期間使用されるので、安定性に大きな関心が寄せられている。二次電池の充放電時に発生する熱、すなわち、二次電池の温度を適正に管理しなければ、二次電池は劣化し、寿命を確保することができない。このように、二次電池において、温度の制御が重要な課題である。
【先行技術文献】
【特許文献】
【０００４】
【特許文献１】韓国特許出願公開第２００８−００４８６３３号明細書
【特許文献２】特開２００５−１２２９８７号明細書
【特許文献３】米国特許出願公開第２０１２／００２８０８４号明細書
【特許文献４】米国特許出願公開第２０１１／０２８７２９８号明細書
【特許文献５】米国特許第６３４０８７７号明細書
【発明の概要】
【発明が解決しようとする課題】
【０００５】
本発明が解決しようとする課題は、温度制御が容易なバッテリパックを提供するところにある。
【課題を解決するための手段】
【０００６】
本発明の一実施形態は、複数列をなすように配置された多数のバッテリセルと、前記バッテリセルのうち隣接する列の間に配置されたホルダであって、前記ホルダの第１面は、前記隣接する列のうちいずれか１列である第１列をなすバッテリセルの側面と接触し、前記ホルダの第２面は、前記隣接する列のうち他の１列である第２列をなすバッテリセルの側面と接触する、ホルダと、前記バッテリセルの温度を測定する温度素子と、を含み、前記ホルダは、前記温度素子を受容する第１受容溝を含み、前記ホルダは、前記ホルダを貫通するように形成された冷却ホールであって、流体が出入りすることができる冷却ホールを含むバッテリパックを開示する。
【０００７】
本実施形態において、前記第１受容溝の深さは、前記温度素子の厚みと同じであるか、あるいは前記温度素子の厚みよりも浅い。
【０００８】
本実施形態において、前記第１受容溝は、前記ホルダの前記第１面及び前記第２面のうち少なくとも１面に形成されてもよい。
【０００９】
本実施形態において、前記温度素子の一端部は、外部に向けて延在したワイヤと連結されており、前記ホルダは、前記ワイヤを受容して第１受容溝と連結された第２受容溝をさらに含んでもよい。
【００１０】
本実施形態において、前記温度素子は、前記第１列または前記第２列をなす多数のバッテリセルのうち内側に配置されたいずれか１つのバッテリセルの側面と接触することができる。
【００１１】
本実施形態において、前記冷却ホールは、前記バッテリセルの長手方向と同一方向に沿って延在してもよい。
【００１２】
本実施形態において、前記バッテリセルそれぞれは、円筒状バッテリセルであってもよい。
【００１３】
本実施形態において、前記ホルダの前記第１面及び前記第２面は、前記バッテリセルの側面に対応する凹状溝を含む。
【００１４】
本実施形態において、前記バッテリセルの最外郭には、１対のエンドホルダが配置され、前記１対のエンドホルダ及び前記ホルダは、前記１対のエンドホルダ及び前記ホルダを貫通する締結部材によって結合される。
【００１５】
本実施形態において、前記ホルダは、前記バッテリセルの上部面及び下部面と接触するストッパをさらに含んでもよい。
【００１６】
本実施形態において、前記多数のバッテリセルを電気的に連結し、前記冷却ホールに対応する位置に形成されたホールを含むバスバーを含んでもよい。
【００１７】
本実施形態において、前記流体は、空気であってもよい。
【００１８】
本実施形態において、前記ホルダは、前記ホルダの両側に配置される第１エンド部及び第２エンド部と、前記第１エンド部と前記第２エンド部とを連結する隔壁部であって、前記第１受容溝及び前記冷却ホールを含む隔壁部と、を具備することができる。
【００１９】
本実施形態において、前記第１エンド部及び第２エンド部それぞれは、前記第１列をなすバッテリセルに向かう方向、及び前記第２列をなすバッテリセルに向かう方向に沿って突出する。
【００２０】
本実施形態において、前記第１エンド部及び第２エンド部は、前記バッテリセルの半径だけ突出する。
【００２１】
本実施形態において、前記バッテリセルそれぞれは、円筒状バッテリセルであり、前記隔壁部の両側面は、前記バッテリセルの側面に対応する凹状溝を含み、前記隔壁部は、前記凹状溝によって形成された相対的に厚みが厚い厚肉部と、相対的に厚みが薄い薄肉部と、を具備することができる。
【００２２】
本実施形態において、前記冷却ホールは、前記厚肉部に形成されてもよい。
【発明の効果】
【００２３】
本発明の一実施形態によれば、バッテリセルを収納しながら、同時にバッテリセルの温度制御を容易に行うことができる。
【図面の簡単な説明】
【００２４】
【図１】本発明の一実施形態によるバッテリパックを概略的に示した斜視図である。
【図２】図１において、ホルダ及び温度部を抜粋して示した斜視図である。
【図３】図２のホルダを示した正面図である。
【図４】図２のＩＶ−ＩＶ線に沿って切り取った斜視図である。
【図５】本発明の一実施形態によるエンドホルダを抜粋して示した斜視図である。
【発明を実施するための形態】
【００２５】
本発明は、多様な変換を加えることができ、さまざまな実施形態を有することができるが、特定実施形態を図面に例示し、詳細な説明によって詳細に説明する。本発明の効果及び特徴、そしてそれらを達成する方法は、図面と共に詳細に説明されている実施形態を参照すれば明確になるであろう。しかし、本発明は、以下で開示される実施形態に限定されるものではなく、多様な形態に具現されてもよい。
【００２６】
以下、添付された図面を参照し、本発明の実施形態について詳細に説明するが、図面を参照して説明するとき、同一であるか、あるいは対応する構成要素は、同一の図面符号を付し、それに係わる重複説明は省略する。
【００２７】
以下の実施形態において、「第１」及び「第２」などの用語は、限定的な意味ではなく、１つの構成要素を他の構成要素と区別する目的で使用されている。
【００２８】
以下の実施形態で、単数の表現は、文脈上明白に異なって意味しない限り、複数の表現を含む。
【００２９】
以下の実施形態で、「含む」または「有する」などの用語は、明細書上に記載された特徴または構成要素が存在するということを意味するものであり、一つ以上の他の特徴または構成要素が付加される可能性を事前に排除するものではない。
【００３０】
以下の実施形態で、膜、領域、構成要素のような部分が他の部分の上または上部にあるとするとき、他の部分の真上にある場合だけではなく、その中間に、他の膜、領域、構成要素などが介在されている場合も含む。
【００３１】
図面においては、説明の便宜のために、構成要素がその大きさが誇張されていたり、あるいは縮小されていたりする。例えば、図面に示された各構成の大きさ及び厚みは、説明の便宜のために任意に示されており、本発明は、必ずしも図示されているところに限定されるものではない。
【００３２】
図１は、本発明の一実施形態によるバッテリパックを概略的に示した斜視図である。
【００３３】
図１を参照すれば、該バッテリパックは、複数列をなす多数のバッテリセル１０と、隣接するバッテリセル１０の列の間に介在されるホルダ２０と、バッテリセル１０の温度情報を獲得するための温度部３０と、多数のバッテリセル１０の最外郭に位置する１対のエンドホルダ４１及び４２と、締結部材５１及び５２と、バッテリセル１０を電気的に連結する第１バスバー６１及び第２バスバー６２と、を含んでもよい。
【００３４】
多数のバッテリセル１０それぞれは、円筒状でもある。例えば、図１に図示されているように、バッテリセル１０は、第１方向及び第２方向に垂直である第３方向（ｚ方向）に沿って延在している円筒形状でもある。
【００３５】
バッテリセル１０それぞれは、充放電が可能なバッテリセル１０である。例えば、バッテリセル１０は、ニッケル−カドミウム（Ｎｉ−Ｃｄ）電池、ニッケル−水素（Ｎｉ−Ｈ）電池またはリチウム（Ｌｉ）イオン電池でもある。リチウムイオン電池は、携帯用電子装備の電源として多用されるニッケル−カドミウム電池あるいはニッケル−水素電池より、作動電圧が３倍程度高く、単位重量当たりエネルギー密度が高く、多様な用途に使用可能である。
【００３６】
多数のバッテリセル１０は、複数列をなすように配置される。例えば、４個のバッテリセル１０が、第１方向（ｙ方向）に沿って配列され、１つのバッテリセル１０の列をなすことができる。このような方式でバッテリセル１０を配置すれば、バッテリセル１０は、複数列Ｒ１，Ｒ２，…，Ｒｍをなし、それぞれの列Ｒ１，Ｒ２，…，Ｒｍは、第１方向と交差する第２方向（ｘ方向）に沿って、互いに平行に配置される。
【００３７】
本実施形態においては、４個のバッテリセル１０が１列をなすように配置された場合について説明しているが、本発明は、それに制限されるものではない。例えば、バッテリセル１０は、２個以上配置されて１列をなすことができる。
【００３８】
本明細書では、説明の便宜のために、隣接するバッテリセルの列において、いずれか１列をなすバッテリセル１０の集合が第１列Ｒ１で、残りの１列をなすバッテリセル１０の集合が第２列Ｒ２であるという場合について説明する。
【００３９】
ホルダ２０は、隣接する列、例えば、第１列Ｒ１と第２列Ｒ２との間に配置される。ホルダ２０は、第１列Ｒ１と第２列Ｒ２との間に介在され、第１列Ｒ１及び第２列Ｒ２をなすバッテリセル１０の側面と直接接触する。ホルダ２０の第１面は、第１列Ｒ１をなすバッテリセル１０の側面と接触し、第１面の反対側であるホルダ２０の第２面は、第２列Ｒ２をなすバッテリセル１０の側面と接触する。
【００４０】
ホルダ２０の第１面２０３Ａ（図２）及び第２面２０３Ｂ（図２）のうち少なくとも１面は、温度部３０の温度素子３１を受容することができる第１受容溝２１１（図２）を含んでもよい。ホルダ２０の第１面２０３Ａに形成された第１受容溝２１１には、温度素子３１が受容され、温度素子３１が第１受容溝２１１に受容された状態で、ホルダ２０とバッテリセル１０の列（第１列Ｒ１または第２列Ｒ２）が接触するので、温度素子３１は、バッテリセル１０側面の温度情報を獲得することができる。
【００４１】
バッテリセル１０の上部面及び下部面は、外部に露出される領域であるので、外部空気やバスバーのような構成要素によって、バッテリセル１０の熱が奪われやすい。そのために、温度素子３１をバッテリセル１０の上部面及び下部面に接触させて測定した温度は、バッテリセル１０自体の発熱による温度を十分に反映することができない。
【００４２】
しかし、本発明の実施形態によれば、バッテリセル１０の側面と接触する第１面２０３Ａ及び第２面２０３Ｂのうち少なくとも１つに温度素子３１が受容される第１受容溝２１１を設けることにより、温度素子３１は、バッテリセル１０の側面の温度を測定することができる。バッテリセル１０の側面温度は、バッテリセル１０の上部面及び下部面の温度に比べ、外部の他の要素によって影響を受けるものではないので、このような温度素子３１の配置を介して、バッテリセル１０の温度を比較的正確に測定することができる。
【００４３】
温度部３０は、バッテリセル１０の温度を測定する温度素子３１と、測定された温度情報を外部に伝達するためのワイヤ３２及びコネクタ３３と、を含む。
【００４４】
温度素子３１は、サーミスタ（thermistor）でもあってもよい。例えば、該サーミスタは、温度によって電気抵抗が可変される抵抗型サーミスタでもあってもよい。前記サーミスタは、測定対象であるバッテリセル１０の温度に対応する電気信号を生成する。
【００４５】
生成された電気信号は、温度素子３１の一端に連結されたワイヤ３２及びコネクタ３３を介して、保護回路モジュール（図示せず）に伝達される。伝達された信号は、バッテリセル１０の温度変化をモニタリングし、バッテリセル１０の充放電を制御するのに使用される。保護回路モジュールは、温度素子３１から伝達された温度情報に基づいて、バッテリセル１０の過充電、過放電または過電流によって生じる過熱及び爆発を防止することができる。そのために、保護回路モジュールは、保護素子を含む。保護素子は、抵抗及びコンデンサのような受動素子であるか、あるいは電界トランジスタのような能動素子からなる安全素子、または集積回路が選択的に形成される。
【００４６】
ホルダ２０は、バッテリセル１０の延在方向（長手方向であるｚ方向）と同一方向に延在した冷却ホール２１３を含む。ホルダ２０は、後述するように、隣接する列の間に介在されながら隣接する列をなすバッテリセル１０と直接接触するように組み込まれる。バッテリセル１０が充放電を反復する場合、熱が発生し、発生した熱が発散されずに過熱されれば、バッテリセル１０は、正常な動作を行うことができない。過熱によるバッテリセル１０の非正常的な動作を防止するために、ホルダ２０は、隣接する列の間に位置する冷却ホール２１３を含む。
【００４７】
行と列とをなすように配置されたバッテリセル１０の最外郭には、１対のエンドホルダ４１，４２が配置される。１対のエンドホルダ４１，４２は、例えば、バッテリセル１０の一側端部に配置された第１エンドホルダ４１、及び第１エンドホルダ４１と対面するように配置され、バッテリセル１０の他側端部に配置された第２エンドホルダ４２を含む。
【００４８】
第１エンドホルダ４１の一面は、第１列Ｒ１と直接接触することができる。例えば、第１エンドホルダ４１の一面は、第１列Ｒ１をなすバッテリセル１０と対面するように配置され、バッテリセル１０の側面と直接接触することができる。
【００４９】
第２エンドホルダ４２の一面は、第１列Ｒ１の反対側に配置されたｍ列目の列Ｒｍと直接接触することができる。例えば、第２エンドホルダ４２の一面は、ｍ列目をなすバッテリに対面するように配置されながら、バッテリセル１０の側面と直接接触することができる。
【００５０】
第１エンドホルダ４１と第２エンドホルダ４２とがバッテリセル１０の最外郭に配置された状態で、締結部材５１，５２が結合することにより、第１エンドホルダ４１と第２エンドホルダ４２とが結合される。隣接する列の間に、ホルダ２０を具備したバッテリセル１０の最外郭に、第１エンドホルダ４１及び第２エンドホルダ４２を配置した後、結合部材を利用して、バッテリセル１０、ホルダ２０、並びに第１エンドホルダ４１及び第２エンドホルダ４２が一体に結合される。
【００５１】
締結部材５１，５２は、第１エンドホルダ４１及び第２エンドホルダ４２、並びにホルダ２０を貫通するように延在したバー型のボルト５１と、ボルト５１の一端に結合されるナット５２と、を含む。第１エンドホルダ４１及び第２エンドホルダ４２、並びにホルダ２０を貫通するように、第１エンドホルダ４１及び第２エンドホルダ４２、並びにホルダ２０に形成された貫通ホールＨにバー型のボルト５１を挿入した後、ボルト５１の端とナット５２とを結合させ、バッテリセル１０、ホルダ２０、並びに第１エンドホルダ４１及び第２エンドホルダ４２を一体に結合する。
【００５２】
第１バスバー６１及び第２バスバー６２は、それぞれバッテリセル１０の上部面及び下部面に対応する位置に配置され、バッテリセル１０と電気的に連結することができる。例えば、第１バスバー６１をバッテリセル１０の上部面と溶接し、第２バスバー６２をバッテリセル１０の下部面と溶接することにより、複数のバッテリセル１０を並列に連結することができる。
【００５３】
第１バスバー６１は、ホルダ２０に形成された冷却ホール２１３に対応する位置に形成されたホール６１ｈを含む。前述のように、第１バスバー６１は、バッテリセル１０の上部面上に溶接されるので、第１バスバー６１にホール６１ｈがなければ、冷却ホール２１３が塞がり、バッテリセル１０の冷却が困難になる。
【００５４】
第２バスバー６２は、ホルダ２０に形成された冷却ホール２１３に対応する位置に形成されたホール６２ｈを含む。前述のように、第２バスバー６２は、バッテリセル１０の下部面上に溶接されるので、第２バスバー６２にホール６２ｈがなければ、冷却ホール２１３が塞がり、バッテリセル１０の冷却が困難になる。
【００５５】
本実施形態においては、複数のバッテリセル１０が並列に連結された場合について説明したが、本発明は、それに限定されるものではない。本発明の他の実施形態として、複数のバッテリセル１０は、直列、または直列と並列ともで連結される。
【００５６】
図２は、図１において、ホルダ２０及び温度部３０を抜粋して示した斜視図であり、図３は、図２のホルダ２０を示した正面図であり、図４は、図２のＩＶ−ＩＶ線に沿って切り取った斜視図である。
【００５７】
図２ないし図４を参照すれば、ホルダ２０は、両側に形成された第１エッジ部２０１及び第２エッジ部２０２と、第１エッジ部２０１及び第２エッジ部２０２を連結する隔壁部２０３と、を含む。
【００５８】
第１エッジ部２０１及び第２エッジ部２０２は、ホルダ２０の両側に位置する。第１エッジ部２０１及び第２エッジ部２０２は、先に図１を参照して説明したように、締結部材５１，５２、例えば、ボルト５１を挿入できるように、ｘ方向に延在した貫通ホールＨを含む。
【００５９】
第１エッジ部２０１及び第２エッジ部２０２は、±ｘ方向に沿って突出する。例えば、第１エッジ部２０１及び第２エッジ部２０２は、ｘ方向に沿って突出してもよい。例えば、第１エッジ部２０１及び第２エッジ部２０２は、−ｘに沿ってバッテリセル１０の半径だけ突出してもよい。
【００６０】
バッテリセル１０の列が互いに平行に配置されるので、バッテリセル１０の列の間に配置されたホルダ２０も、図１に図示されているように、互いに平行に配置される。図１を参照すれば、隣接するホルダ２０の間には、１列をなすバッテリセル１０が配置される。前述のように、第１エッジ部２０１及び第２エッジ部２０２が、ｘ方向及び−ｘ方向に沿って、バッテリセル１０の半径だけ突出しているので、隣接するホルダ２０は、エッジ部同士接触することができる。例えば、隣接するホルダ２０の第１エッジ部２０１同士互いに接触し、隣接するホルダ２０の第２エッジ部２０２同士互いに接触することができる。
【００６１】
隔壁部２０３は、第１エッジ部２０１と第２エッジ部２０２との間を連結するように、±ｙ方向に沿って延在する。隔壁部２０３の第１面２０３Ａは、第１列Ｒ１のバッテリセル１０の側面と接触し、第１面２０３Ａの反対側である隔壁部２０３の第２面２０３Ｂは、第２列Ｒ２のバッテリセル１０の側面と接触することができる。
【００６２】
本発明の一実施形態によれば、バッテリセル１０は、円筒状であるので、隔壁部２０３の第１面２０３Ａ及び第２面２０３Ｂは、バッテリセル１０の側面に対応する形状の凹状溝（recess）を含む。バッテリセル１０の側面に対応する溝が形成されるので、隔壁部２０３は、相対的に厚みが厚い厚肉部（thick portion）２０３Ｔと、相対的に厚みが薄い薄肉部（thin portion）２０３ｔと、を含む。
【００６３】
ホルダ２０の第１面２０３Ａ及び第２面２０３Ｂのうち少なくとも１面、例えば、隔壁部２０３の第１面２０３Ａ及び第２面２０３Ｂのうち少なくとも１面には、温度素子３１を受容することができる第１受容溝２１１が形成される。第１受容溝２１１は、内側に配置されたバッテリセル１０の温度を測定するように、第１面２０３Ａ及び第２面２０３Ｂのうち少なくとも１つの面の中心領域に形成される。例えば、本実施形態のように、４個（偶数）のバッテリセル１０が１列をなす場合には、内側に配置された２番目のバッテリセル１０、または３番目のバッテリセル１０の側面に対応する位置に、第１受容溝２１１が形成される。他の実施形態として、５個（奇数）のバッテリセル１０が１列をなす場合には、真ん中である３番目のバッテリセル１０の側面に対応する位置に、第１受容溝２１１が形成されてもよい。
【００６４】
第１受容溝２１１に載置された温度素子３１が、バッテリセル１０の側面に直接接触するために、第１受容溝２１１の深さは、温度素子３１の厚みと同じであるか、あるいはそれよりも浅く形成される。
【００６５】
温度素子３１の一端には、ワイヤ３２及びコネクタ３３が連結されており、コネクタ３３は、外部に配置された保護回路モジュール（図示せず）に連結されるために、外部に露出される。ホルダ２０の第１面２０３Ａ及び第２面２０３Ｂのうち少なくとも１面には、第１受容溝２１１と連結されてワイヤ３２を受容することができる第２受容溝２１２がさらに含まれる。
【００６６】
図２及び図３には、第１受容溝２１１、及び第１受容溝２１１と連結された第２受容溝２１２が２対形成された場合を図示しているが、本発明は、それに限定されるものではない。図２及び図３に図示されているように、２対の第１受容溝２１１及び第２受容溝２１２が形成された場合、２対の第１受容溝２１１及び第２受容溝２１２のうちいずれか１対の第１受容溝２１１及び第２受容溝２１２に温度部３０を受容することができる。他の実施形態として、第１受容溝２１１及び第２受容溝２１２は、１対のみ具備されてもよい。
【００６７】
隔壁部２０３は、バッテリセル１０の長手方向（ｚ方向）と平行に延在した冷却ホール２１３を含む。冷却ホール２１３は、バッテリセル１０の過熱を防止するための構造であり、バッテリセル１０の長手方向（ｚ方向）に沿って形成される。前述のように、締結部材５１，５２によって、第１エンドホルダ４１及び第２エンドホルダ４２、ホルダ２０、並びにバッテリセル１０が密着して組み込まれているので、バッテリセル１０から生じる熱が長時間発散されなければ、バッテリセル１０を劣化させてしまう。
【００６８】
本実施形態によれば、バッテリセル１０の劣化を防止するために、バッテリセル１０と隣接した位置、例えば、隔壁部２０３の厚肉部２０３Ｔに冷却ホール２１３を形成することができる。本実施形態によれば、隔壁部２０３の両側面（すなわち、第１面２０３Ａ及び第２面２０３Ｂ）がバッテリセル１０の側面に対応する凹状溝を含むことによって形成された厚肉部２０３Ｔに、冷却ホール２１３が具備されるので、空間活用が最大化される。すなわち、冷却ホール２１３を形成するために、別途にホルダ２０の厚みを厚くする必要がなくなる。
【００６９】
ホルダ２０の上下部面、例えば、隔壁部２０３の上下部面は、バッテリセル１０の上下部面と接触するストッパ２１５を含む。前述のように、バッテリセル１０は、側面がホルダ２０と接触するように配置され、締結部材５１，５２によって組み込まれるので、側面方向にバッテリセル１０が離脱する心配がない。しかし、バッテリセル１０の上部面または下部面の方向に沿って、バッテリセル１０がホルダ２０から分離されないように、ホルダ２０は、ストッパ２１５を含む。図面には、ストッパ２１５が、隔壁部２０３の薄肉部２０３ｔに形成された状態を図示しているが、本発明は、それに制限されるものではない。ストッパ２１５が、バッテリセル１０の上部面及び下部面と接触し、ホルダ２０からの離脱を防止することができるものであるならば、その位置を限定するものではない。
【００７０】
図５は、本発明の一実施形態による第１エンドホルダ４１及び第２エンドホルダ４２を抜粋して示した斜視図である。
【００７１】
図５を参照すれば、第１エンドホルダ４１及び第２エンドホルダ４２は、バッテリセル１０の側面と接触する面が互いに対面するように配置される。本発明の一実施形態のように、バッテリセル１０が円筒状である場合、第１エンドホルダ４１の一面４１３Ａ及び第２エンドホルダ４２の一面４２３Ｂは、バッテリセル１０の側面に対応する形状の凹状溝を含む。
【００７２】
第１エンドホルダ４１及び第２エンドホルダ４２はそれぞれ、第１エッジ部４１１，４２１及び第２エッジ部４２１，４２２、並びに隔壁部４１３，４２３を含む。
【００７３】
第１エンドホルダ４１の第１エッジ部４１１及び第２エッジ部４１２は、第１エンドホルダ４１の両側に位置し、前述のように、締結部材５１，５２、例えば、ボルト５１が挿入できるように、ｘ方向に延在した貫通ホールＨを含む。
【００７４】
第２エンドホルダ４２の第１エッジ部４２１及び第２エッジ部４２２も、第２エンドホルダ４２の両側に位置し、締結部材５１，５２、例えば、ボルト５１が挿入できるように、ｘ方向に延在した貫通ホールＨを含む。
【００７５】
第１エンドホルダ４１の第１エッジ部４１１及び第２エッジ部４１２は、±ｘ方向に沿って突出する。例えば、第１エンドホルダ４１の第１エッジ部４１１及び第２エッジ部４１２は、ｘ方向に沿ってバッテリセル１０の半径だけ突出する。
【００７６】
第２エンドホルダ４２の第１エッジ部４２１及び第２エッジ部４２２は、±ｘ方向に沿って突出する。例えば、第２エンドホルダ４２の第１エッジ部４２１及び第２エッジ部４２２は、−ｘ方向に沿ってバッテリセル１０の半径だけ突出する。
【００７７】
第１エンドホルダ４１及び第２エンドホルダ４２の隔壁部４１３，４２３は、それぞれ±ｙ方向に沿って延在している。隔壁部４１３，４２３の一面は、バッテリセル１０の側面と直接接触するように、バッテリセル１０の側面に対応する形状の凹状溝を含むということは、前述の通りである。
【００７８】
第１エンドホルダ４１及び第２エンドホルダ４２の上下部面、例えば、隔壁部４１３，４２３の上下部面は、バッテリセル１０の上下部面と接触するように、ストッパ２１５を含む。前述のように、バッテリセル１０は、側面が第１エンドホルダ４１及び第２エンドホルダ４２と接触するように配置され、締結部材５１，５２によって組み込まれるので、側面方向にバッテリセル１０が離脱される心配がない。しかし、バッテリセル１０の上部面または下部面方向に沿って、バッテリセル１０が、第１エンドホルダ４１及び第２エンドホルダ４２から分離されないように、第１エンドホルダ４１及び第２エンドホルダ４２は、ストッパ４１５，４２５を含む。
【００７９】
前述のような本発明の一実施形態によるバッテリパックは、バッテリセル１０の列の間に、ホルダ２０が介在された状態に組み立てられ、ホルダ２０は、温度素子３１を受容する第１受容溝２１１、及びバッテリセル１０の過熱を防止するための冷却ホール２１３を含むので、バッテリセル１０を収納しながら、同時にバッテリセル１０の温度制御を容易に行うことができる。
【００８０】
以上、本発明について、図面に図示された一実施形態を参照しつつ説明したが、それらは、例示的なものに過ぎず、当該分野において当業者であるならば、それらから多様な変形及び実施形態の変形が可能であるという点を理解するであろう。従って、本発明の真の技術的保護範囲は、特許請求の範囲の技術的思想によって決まるものである。
【産業上の利用可能性】
【００８１】
本発明のバッテリパックは、例えば、電源関連の技術分野に効果的に適用可能である。
【符号の説明】
【００８２】
１０    バッテリセル
２０    ホルダ
２０１    ホルダの第１エッジ部
２０２    ホルダの第２エッジ部
２０３    ホルダの隔壁部
２０３Ａ    ホルダの第１面
２０３Ｂ    ホルダの第２面
２０３Ｔ    厚肉部
２０３ｔ    薄肉部
２１１    第１受容溝
２１２    第２受容溝
２１３    冷却ホール
２１５，４１５，４２５    ストッパ
３０    温度部
３１    温度素子
３２    ワイヤ
３３    コネクタ
４１    第１エンドホルダ
４１１    第１エンドホルダの第１エッジ部
４１２    第１エンドホルダの第２エッジ部
４１３    第１エンドホルダの隔壁部
４１３Ａ    第１エンドホルダの第１面
４２    第２エンドホルダ
４２１    第２エンドホルダの第１エッジ部
４２２    第２エンドホルダの第２エッジ部
４２３    第２エンドホルダの隔壁部
４２３Ｂ    第２エンドホルダの第１面
５１    ボルト
５２    ナット
６１    第１バスバー
６１ｈ    第１バスバーのホール
６２    第２バスバー
６２ｈ    第１バスバーのホール
Ｈ    貫通ホール
【図１】
2015088493.tif 000003
【図２】
2015088493.tif 000004
【図３】
2015088493.tif 000005
【図４】
2015088493.tif 000006
【図５】
2015088493.tif 000007